(57)【要約】  本発明の実施例は、ドライブテストの最小化測定を実行する方法、装置およびシステムを開示し、無線通信技術分野に属する。前記方法は、ターゲット端末に対応する、測定されるターゲットネットワーク環境の識別子を決定することと、ドライブテストの最小化（ＭＤＴ）構成情報をターゲット端末に送信することであって、前記ＭＤＴ構成情報は、前記ターゲットネットワーク環境の識別子を含むことと、前記ターゲット端末によって送信された、前記ターゲットネットワーク環境の測定情報を受信することであって、前記ターゲットネットワーク環境の測定情報は、前記ターゲット端末のモバイルネットワーク信号情報に関連することとを含む。本開示により、端末の消費電力を削減することができる。【選択図】図３
2021510960.tif 000002
【特許請求の範囲】
【請求項１】
ドライブテストの最小化測定を実行する方法であって、
ターゲット端末に対応する、測定されるターゲットネットワーク環境の識別子を決定することと、
ドライブテストの最小化（ＭＤＴ）構成情報をターゲット端末に送信することであって、前記ＭＤＴ構成情報は、前記ターゲットネットワーク環境の識別子を含むことと、
前記ターゲット端末によって送信された、前記ターゲットネットワーク環境の測定情報を受信することであって、前記ターゲットネットワーク環境の測定情報は、前記ターゲット端末のモバイルネットワーク信号情報に関連することとを含むことを特徴とする、前記ドライブテストの最小化測定を実行する方法。
【請求項２】
前記ターゲットネットワーク環境は、ターゲットブルートゥースネットワーク環境および／またはターゲットワイヤレスフィデリティ（ｗｉｆｉ）ネットワーク環境を含むことを特徴とする、
請求項１に記載のドライブテストの最小化測定を実行する方法。
【請求項３】
前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含むことを特徴とする、
請求項２に記載のドライブテストの最小化測定を実行する方法。
【請求項４】
前記ＭＤＴ構成情報は、ログ測定構成（Ｌｏｇｇｅｄ  Ｍｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送されることを特徴とする、
請求項１ないし３のいずれか一項記載のドライブテストの最小化測定を実行する方法。
【請求項５】
ドライブテストの最小化測定を実行する方法であって、
基地局によって送信されたドライブテストの最小化（ＭＤＴ）構成情報を受信することであって、前記ＭＤＴ構成情報は、ターゲットネットワーク環境の識別子を含むことと、
前記ターゲットネットワーク環境の識別子に従って、前記ターゲットネットワーク環境の情報を測定して、前記ターゲットネットワーク環境の測定情報を取得することと、
前記ターゲットネットワーク環境の測定情報を前記基地局に送信することとを含むことを特徴とする、前記ドライブテストの最小化測定を実行する方法。
【請求項６】
前記ターゲットネットワーク環境は、ターゲットブルートゥースネットワーク環境および／またはターゲットワイヤレスフィデリティ（ｗｉｆｉ）ネットワーク環境を含む。
請求項５に記載のドライブテストの最小化測定を実行する方法。
【請求項７】
前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含むことを特徴とする、
請求項６に記載のドライブテストの最小化測定を実行する方法。
【請求項８】
前記ターゲットネットワーク環境の識別子は、複数の識別子であり、
前記ターゲットネットワーク環境の識別子に従って、前記ターゲットネットワーク環境の情報を測定して、前記ターゲットネットワーク環境の測定情報を取得することは、
前記ターゲットネットワーク環境の識別子に従って、前記ターゲットネットワーク環境に対応する信号強度を測定することと、
測定された最大信号強度に対応するターゲットネットワーク環境の識別子を、ターゲットネットワーク環境の測定情報として決定することとを含むことを特徴とする、
請求項５に記載のドライブテストの最小化測定を実行する方法。
【請求項９】
前記ターゲットネットワーク環境の識別子は、１つまたは複数の識別子であり、ターゲットネットワーク環境に対応するネットワーク機器は、複数のネットワーク機器であり、
前記ターゲットネットワーク環境の識別子に従って、前記ターゲットネットワーク環境の情報を測定して、前記ターゲットネットワーク環境の測定情報を取得することは、
前記ターゲットネットワーク環境の識別子に従って、前記ターゲットネットワーク環境に対応する信号強度を測定することと、
最大信号強度を生成したネットワーク機器の識別子を、ターゲットネットワーク環境の測定情報として決定することとを含むことを特徴とする、
請求項５に記載のドライブテストの最小化測定を実行する方法。
【請求項１０】
前記ＭＤＴ構成情報は、ログ測定構成（Ｌｏｇｇｅｄ  Ｍｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送されることを特徴とする、
請求項５ないし９のいずれか一項に記載のドライブテストの最小化測定を実行する方法。
【請求項１１】
ドライブテストの最小化測定を実行する装置であって、
前記装置は基地局であり、
ターゲット端末に対応する、測定されるターゲットネットワーク環境の識別子を決定するように構成される決定モジュールと、
ドライブテストの最小化（ＭＤＴ）構成情報をターゲット端末に送信するように構成される送信モジュールであって、前記ＭＤＴ構成情報は、前記ターゲットネットワーク環境の識別子を含む送信モジュールと、
前記ターゲット端末によって送信された、前記ターゲットネットワーク環境の測定情報を受信するように構成される受信モジュールであって、前記ターゲットネットワーク環境の測定情報は、前記ターゲット端末のモバイルネットワーク信号情報に関連する受信モジュールとを備えることを特徴とする、前記ドライブテストの最小化測定を実行する装置。
【請求項１２】
前記ターゲットネットワーク環境は、ターゲットブルートゥースネットワーク環境および／またはターゲットワイヤレスフィデリティ（ｗｉｆｉ）ネットワーク環境を含むことを特徴とする、
請求項１１に記載のドライブテストの最小化測定を実行する装置。
【請求項１３】
前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含むことを特徴とする、
請求項１２に記載のドライブテストの最小化測定を実行する装置。
【請求項１４】
前記ＭＤＴ構成情報は、ログ測定構成（Ｌｏｇｇｅｄ  Ｍｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送されることを特徴とする、
請求項１１ないし１３のいずれか一項に記載のドライブテストの最小化測定を実行する装置。
【請求項１５】
ドライブテストの最小化測定を実行する装置であって、
前記装置はターゲット端末であり、
基地局によって送信されたドライブテストの最小化（ＭＤＴ）構成情報を受信するように構成される受信モジュールであって、前記ＭＤＴ構成情報は、ターゲットネットワーク環境の識別子を含む受信モジュールと、
前記ターゲットネットワーク環境の識別子に従って、前記ターゲットネットワーク環境の情報を測定して、前記ターゲットネットワーク環境の測定情報を取得するように構成される測定モジュールと、
前記ターゲットネットワーク環境の測定情報を前記基地局に送信するように構成される送信モジュールとを備えることを特徴とする、前記ドライブテストの最小化測定を実行する装置。
【請求項１６】
前記ターゲットネットワーク環境は、ターゲットブルートゥースネットワーク環境および／またはターゲットワイヤレスフィデリティ（ｗｉｆｉ）ネットワーク環境を含むことを特徴とする、
請求項１５に記載のドライブテストの最小化測定を実行する装置。
【請求項１７】
前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含むことを特徴とする、
請求項１６に記載のドライブテストの最小化測定を実行する装置。
【請求項１８】
前記ターゲットネットワーク環境の識別子は、複数の識別子であり、
前記測定モジュールは、
前記ターゲットネットワーク環境の識別子に従って、前記ターゲットネットワーク環境に対応する信号強度を測定し、
測定された最大信号強度に対応するターゲットネットワーク環境の識別子を、ターゲットネットワーク環境の測定情報として決定するように構成されることを特徴とする、
請求項１５に記載のドライブテストの最小化測定を実行する装置。
【請求項１９】
前記ターゲットネットワーク環境の識別子は、１つまたは複数の識別子であり、ターゲットネットワーク環境に対応するネットワーク機器は、複数のネットワーク機器であり、
前記測定モジュールは、
前記ターゲットネットワーク環境の識別子に従って、前記ターゲットネットワーク環境に対応する信号強度を測定し、
最大信号強度を生成したネットワーク機器の識別子を、ターゲットネットワーク環境の測定情報として決定するように構成されることを特徴とする、
請求項１５に記載のドライブテストの最小化測定を実行する装置。
【請求項２０】
前記ＭＤＴ構成情報は、ログ測定構成（Ｌｏｇｇｅｄ  Ｍｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送されることを特徴とする、
請求項１５ないし１９のいずれか一項に記載のドライブテストの最小化測定を実行する装置。
【請求項２１】
基地局であって、
前記基地局は、プロセッサと、メモリとを備え、前記メモリに、少なくとも１つの命令、少なくとも１セグメントのプログラム、コードセットまたは命令セットが記憶され、前記少なくとも１つの命令、前記少なくとも１セグメントのプログラム、前記コードセットまたは命令セットが、前記プロセッサによってロードおよび実行されると、請求項１ないし４のいずれか一項に記載のドライブテストの最小化測定を実行する方法を実現することを特徴とする、前記基地局。
【請求項２２】
ターゲット端末であって、
前記ターゲット端末は、プロセッサと、メモリとを備え、前記メモリに、少なくとも１つの命令、少なくとも１セグメントのプログラム、コードセットまたは命令セットが記憶され、前記少なくとも１つの命令、前記少なくとも１セグメントのプログラム、前記コードセットまたは命令セットが、前記プロセッサによってロードおよび実行されると、請求項５ないし１０のいずれか一項に記載のドライブテストの最小化測定を実行する方法を実現することを特徴とする、前記ターゲット端末。
【請求項２３】
コンピュータ読み取り可能な記憶媒体であって、
前記記憶媒体に、少なくとも１つの命令、少なくとも１セグメントのプログラム、コードセットまたは命令セットが記憶され、前記少なくとも１つの命令、前記少なくとも１セグメントのプログラム、前記コードセットまたは命令セットが、プロセッサによってロードおよび実行されると、請求項１ないし４のいずれか一項に記載の方法、または請求項５ないし１０のいずれか一項に記載のドライブテストの最小化測定を実行する方法を実現することを特徴とする、前記コンピュータ読み取り可能な記憶媒体。
【請求項２４】
ドライブテストの最小化測定を実行するシステムであって、
前記システムは、基地局およびターゲット端末を含み、
前記基地局は、請求項１１ないし１４、および請求項２１のいずれか一項に記載の基地局であり、
前記ターゲット端末は、請求項１５ないし２０、および請求項２２のいずれか一項に記載のターゲット端末であることを特徴とする、前記ドライブテストの最小化測定を実行するシステム。
【発明の詳細な説明】
【技術分野】
【０００１】
本出願は、無線通信技術分野に関し、特に、ドライブテストの最小化測定を実行する方法、装置およびシステムに関する。
【背景技術】
【０００２】
無線通信技術分野において、モバイルネットワークを最適化するために、ドライブテストの最小化（ＭＤＴ：Ｍｉｎｉｍｉｚａｔｉｏｎ  ｏｆ  Ｄｒｉｖｅ  Ｔｅｓｔｓ）技術を使用して、モバイルネットワークを最適化するために必要な関連情報を取得する。
【０００３】
具体的には、屋内シナリオでは、端末は、現在位置のモバイルネットワーク信号情報を測定し、現在位置決定情報を決定することができる。つまり、端末は、現在検出された各ブルートゥース信号を生成したブルートゥース（登録商標）機器に対して測定を実行でき、または、現在検出された各ｗｉｆｉ（登録商標）（Ｗｉｒｅｌｅｓｓ  Ｆｉｄｅｌｉｔｙ、ワイヤレスフィデリティ）信号を生成したｗｉｆｉ機器に対して測定を実行でき、さらに、測定したモバイルネットワーク信号情報、および位置決定情報を基地局に送信できる。対応的に、基地局は、端末によって送信されたモバイルネットワーク信号情報および位置決定情報を受信でき、これにより、モバイルネットワークを最適化するために必要な情報を取得できる。
【０００４】
本出願を実現するプロセスで、発明者は、関連技術には少なくとも以下の問題があることを見出した。
【０００５】
上記の処理方式に基づいて、端末は、周囲のすべてのブルートゥース信号またはｗｉｆｉ信号を生成するブルートゥース機器またはｗｉｆｉ機器の情報を測定する必要があり、これにより、端末はより多くの電力を消費する。
【発明の概要】
【発明が解決しようとする課題】
【０００６】
関連技術における端末の高電力消費の問題を克服するために、本開示は、ドライブテストの最小化測定を実行する方法、装置およびシステムを提供する。
【課題を解決するための手段】
【０００７】
本開示の実施例の第１態様によれば、ドライブテストの最小化測定を実行する方法を提供し、前記方法は、
ターゲット端末に対応する、測定されるターゲットネットワーク環境の識別子を決定することと、
ＭＤＴ構成情報をターゲット端末に送信することであって、ここで、前記ＭＤＴ構成情報は、前記ターゲットネットワーク環境の識別子を含むことと、
前記ターゲット端末によって送信された、前記ターゲットネットワーク環境の測定情報を受信することであって、前記ターゲットネットワーク環境の測定情報は、前記ターゲット端末のモバイルネットワーク信号情報に関連することとを含む。
【０００８】
代替的に、前記ターゲットネットワーク環境は、ターゲットブルートゥースネットワーク環境および／またはターゲットｗｉｆｉネットワーク環境を含む。
【０００９】
代替的に、前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ：Ｓｅｒｖｉｃｅ  Ｓｅｔ  Ｉｄｅｎｔｉｆｉｅｒ）を含み、前記ターゲットネットワーク環境がターゲットブルートゥースネットワーク環境を含む場合、前記ターゲットネットワーク環境の識別子は、前記ターゲットブルートゥースネットワーク環境の名前を含む。
【００１０】
これにより、ＭＤＴ構成情報のデータ量を削減することができるため、ＭＤＴ構成情報の伝送効率を向上させることができると共に、伝送失敗の確率を低減することができる。
【００１１】
代替的に、前記ＭＤＴ構成情報は、ログ測定構成（Ｌｏｇｇｅｄ  Ｍｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎＲｅｃｏｎｆｉｇｕｒａｔｉｏｎ）シグナリングで搬送される。
【００１２】
これにより、基地局が、Ｌｏｇｇｅｄ  Ｍｅａｓｕｒｅｍｅｎｔ  ＣｏｎｆｉｇｕｒａｔｉｏｎシグナリングまたはＲＲＣＣｏｎｎｅｃｔｉｏｎ  Ｒｅｃｏｎｆｉｇｕｒａｔｉｏｎシグナリングを介して、他のＭＤＴ構成情報をターゲット端末に送信する場合、ターゲットネットワーク環境の識別子をターゲット端末に送信できるため、ターゲット端末へのシグナリングの送信数を減らし、リソースの浪費を防ぐことができる。
【００１３】
本開示の実施例の第２態様によれば、ドライブテストの最小化測定を実行する方法を提供し、前記方法は、
基地局によって送信されたＭＤＴ構成情報を受信することであって、ここで、前記ＭＤＴ構成情報は、ターゲットネットワーク環境の識別子を含むことと、
前記ターゲットネットワーク環境の識別子に従って、前記ターゲットネットワーク環境の情報を測定して、前記ターゲットネットワーク環境の測定情報を取得することと、
前記ターゲットネットワーク環境の測定情報を前記基地局に送信することとを含む。
【００１４】
代替的に、前記ターゲットネットワーク環境は、ターゲットブルートゥースネットワーク環境および／またはターゲットｗｉｆｉネットワーク環境を含む。
【００１５】
代替的に、前記ターゲットネットワーク環境がターゲットｗｉｆｉネットワーク環境を含む場合、前記ターゲットネットワーク環境の識別子は、前記ターゲットｗｉｆｉネットワーク環境のＳＳＩＤを含み、前記ターゲットネットワーク環境がターゲットブルートゥースネットワーク環境を含む場合、前記ターゲットネットワーク環境の識別子は、前記ターゲットブルートゥースネットワーク環境の名前を含む。
【００１６】
これにより、ＭＤＴ構成情報のデータ量を削減することができるため、ＭＤＴ構成情報の伝送効率を向上させることができると共に、伝送失敗の確率を低減することができる。
【００１７】
代替的に、前記ターゲットネットワーク環境の識別子は、複数の識別子であり、
前記ターゲットネットワーク環境の識別子に従って、前記ターゲットネットワーク環境の情報を測定して、前記ターゲットネットワーク環境の測定情報を取得することは、
前記ターゲットネットワーク環境の識別子に従って、前記ターゲットネットワーク環境に対応する信号強度を測定することと、
測定された最大信号強度に対応するターゲットネットワーク環境の識別子を、ターゲットネットワーク環境の測定情報として決定することとを含む。
【００１８】
これにより、基地局に送信するデータのデータ量を削減することができるため、測定情報の伝送効率を向上させることができると共に、伝送失敗の確率を低減することができる。
【００１９】
代替的に、前記ターゲットネットワーク環境の識別子は、１つまたは複数の識別子であり、ターゲットネットワーク環境に対応するネットワーク機器は、複数のネットワーク機器であり、
前記ターゲットネットワーク環境の識別子に従って、前記ターゲットネットワーク環境の情報を測定して、前記ターゲットネットワーク環境の測定情報を取得することは、
前記ターゲットネットワーク環境の識別子に従って、前記ターゲットネットワーク環境に対応する信号強度を測定することと、
最大信号強度を生成したネットワーク機器の識別子を、ターゲットネットワーク環境の測定情報として決定することとを含む。
【００２０】
これにより、基地局に送信するデータのデータ量を削減することができるため、測定情報の伝送効率を向上させることができると共に、伝送失敗の確率を低減することができる。
【００２１】
代替的に、前記ＭＤＴ構成情報は、Ｌｏｇｇｅｄ  Ｍｅａｓｕｒｅｍｅｎｔ  Ｃｏｎｆｉｇｕｒａｔｉｏｎシグナリングで搬送され、または、
前記ＭＤＴ構成情報は、ＲＲＣＣｏｎｎｅｃｔｉｏｎＲｅｃｏｎｆｉｇｕｒａｔｉｏｎシグナリングで搬送される。
【００２２】
これにより、基地局が、Ｌｏｇｇｅｄ  Ｍｅａｓｕｒｅｍｅｎｔ  ＣｏｎｆｉｇｕｒａｔｉｏｎシグナリングまたはＲＲＣＣｏｎｎｅｃｔｉｏｎ  Ｒｅｃｏｎｆｉｇｕｒａｔｉｏｎシグナリングを介して、他のＭＤＴ構成情報をターゲット端末に送信する場合、ターゲットネットワーク環境の識別子をターゲット端末に送信できるため、ターゲット端末へのシグナリングの送信数を減らし、リソースの浪費を防ぐことができる。
【００２３】
本開示の実施例の第３態様によれば、ドライブテストの最小化測定を実行する装置を提供し、前記装置は基地局であり、
ターゲット端末に対応する、測定されるターゲットネットワーク環境の識別子を決定するように構成される決定モジュールと、
ＭＤＴ構成情報をターゲット端末に送信するように構成される送信モジュールであって、前記ＭＤＴ構成情報は、前記ターゲットネットワーク環境の識別子を含む送信モジュールと、
前記ターゲット端末によって送信された、前記ターゲットネットワーク環境の測定情報を受信するように構成される受信モジュールであって、前記ターゲットネットワーク環境の測定情報は、前記ターゲット端末のモバイルネットワーク信号情報に関連する受信モジュールとを備える。
【００２４】
代替的に、前記ターゲットネットワーク環境は、ターゲットブルートゥースネットワーク環境および／またはターゲットｗｉｆｉネットワーク環境を含む。
【００２５】
代替的に、前記ターゲットネットワーク環境がターゲットｗｉｆｉネットワーク環境を含む場合、前記ターゲットネットワーク環境の識別子は、前記ターゲットｗｉｆｉネットワーク環境のＳＳＩＤを含み、前記ターゲットネットワーク環境がターゲットブルートゥースネットワーク環境を含む場合、前記ターゲットネットワーク環境の識別子は、前記ターゲットブルートゥースネットワーク環境の名前を含む。
【００２６】
代替的に、前記ＭＤＴ構成情報は、Ｌｏｇｇｅｄ  Ｍｅａｓｕｒｅｍｅｎｔ  Ｃｏｎｆｉｇｕｒａｔｉｏｎシグナリングで搬送され、または、
前記ＭＤＴ構成情報は、ＲＲＣＣｏｎｎｅｃｔｉｏｎＲｅｃｏｎｆｉｇｕｒａｔｉｏｎシグナリングで搬送される。
【００２７】
本開示の実施例の第４態様によれば、ドライブテストの最小化測定を実行する装置を提供し、前記装置はターゲット端末であり、
基地局によって送信されたドライブテストの最小化（ＭＤＴ）構成情報を受信するように構成される受信モジュールであって、前記ＭＤＴ構成情報は、ターゲットネットワーク環境の識別子を含む受信モジュールと、
前記ターゲットネットワーク環境の識別子に従って、前記ターゲットネットワーク環境の情報を測定して、前記ターゲットネットワーク環境の測定情報を取得するように構成される測定モジュールと、
前記ターゲットネットワーク環境の測定情報を前記基地局に送信するように構成される送信モジュールとを備える。
【００２８】
代替的に、前記ターゲットネットワーク環境は、ターゲットブルートゥースネットワーク環境および／またはターゲットｗｉｆｉネットワーク環境を含む。
【００２９】
代替的に、前記ターゲットネットワーク環境がターゲットｗｉｆｉネットワーク環境を含む場合、前記ターゲットネットワーク環境の識別子は、前記ターゲットｗｉｆｉネットワーク環境のＳＳＩＤを含み、前記ターゲットネットワーク環境がターゲットブルートゥースネットワーク環境を含む場合、前記ターゲットネットワーク環境の識別子は、前記ターゲットブルートゥースネットワーク環境の名前を含む。
【００３０】
代替的に、前記ターゲットネットワーク環境の識別子は、複数の識別子であり、
前記測定モジュールは、
前記ターゲットネットワーク環境の識別子に従って、前記ターゲットネットワーク環境に対応する信号強度を測定し、
測定された最大信号強度に対応するターゲットネットワーク環境の識別子を、ターゲットネットワーク環境の測定情報として決定するように構成される。
【００３１】
代替的に、前記ターゲットネットワーク環境の識別子は、１つまたは複数の識別子であり、ターゲットネットワーク環境に対応するネットワーク機器は、複数のネットワーク機器であり、
前記測定モジュールは、
前記ターゲットネットワーク環境の識別子に従って、前記ターゲットネットワーク環境に対応する信号強度を測定し、
最大信号強度を生成したネットワーク機器の識別子を、ターゲットネットワーク環境の測定情報として決定するように構成される。
【００３２】
代替的に、前記ＭＤＴ構成情報は、Ｌｏｇｇｅｄ  Ｍｅａｓｕｒｅｍｅｎｔ  Ｃｏｎｆｉｇｕｒａｔｉｏｎシグナリングで搬送され、または、
前記ＭＤＴ構成情報は、ＲＲＣＣｏｎｎｅｃｔｉｏｎＲｅｃｏｎｆｉｇｕｒａｔｉｏｎシグナリングで搬送される。
【００３３】
本開示の実施例の第５態様によれば、プロセッサと、メモリとを備える基地局を提供し、前記メモリに、少なくとも１つの命令、少なくとも１セグメントのプログラム、コードセットまたは命令セットが記憶され、前記少なくとも１つの命令、前記少なくとも１セグメントのプログラム、前記コードセットまたは命令セットが、前記プロセッサによってロードおよび実行されると、第１態様に記載のドライブテストの最小化測定を実行する方法を実現する。
【００３４】
本開示の実施例の第６態様によれば、プロセッサと、メモリとを備えるターゲット端末を提供し、前記メモリに、少なくとも１つの命令、少なくとも１セグメントのプログラム、コードセットまたは命令セットが記憶され、前記少なくとも１つの命令、前記少なくとも１セグメントのプログラム、前記コードセットまたは命令セットが、前記プロセッサによってロードおよび実行されると、第２態様に記載のドライブテストの最小化測定を実行する方法を実現する。
【００３５】
本開示の実施例の第７態様によれば、コンピュータ読み取り可能な記憶媒体を提供し、前記記憶媒体に、少なくとも１つの命令、少なくとも１セグメントのプログラム、コードセットまたは命令セットが記憶され、前記少なくとも１つの命令、前記少なくとも１セグメントのプログラム、前記コードセットまたは命令セットが、プロセッサによってロードおよび実行されると、第１態様に記載のドライブテストの最小化測定を実行する方法、または第２態様に記載のドライブテストの最小化測定を実行する方法を実現する。
【００３６】
本開示の実施例の第８態様によれば、ドライブテストの最小化測定を実行するシステムを提供し、前記システムは、基地局およびターゲット端末を含み、
前記基地局は、第３態様または第５態様に記載の基地局であり、
前記ターゲット端末は、第４態様または第６態様に記載のターゲット端末である。
【発明の効果】
【００３７】
本開示の実施例によって提供される技術的解決策によってもたらされる有益な効果は、以下の通りである。
【００３８】
本発明の実施例において、基地局は、ＭＤＴ構成情報をターゲット端末に送信する前に、先にターゲット端末に対応する、測定されるターゲットネットワーク環境の識別子を決定し、さらに、ターゲットネットワーク環境の識別子を含むＭＤＴ構成情報をターゲット端末に送信することができる。対応的に、ターゲット端末は、基地局によって送信されたＭＤＴ構成情報を受信した後、ターゲットネットワーク環境の識別子に従って、ターゲットネットワーク環境の情報を測定し、ターゲットネットワーク環境の測定情報を基地局に送信することができ、ここで、ターゲットネットワーク環境の測定情報は、ターゲット端末のモバイルネットワーク信号情報に関連する。これにより、ターゲット端末は、ターゲットネットワーク環境の情報のみを測定することができ、つまり、すべてのネットワーク環境内のネットワーク機器の情報を測定せずに、ターゲットネットワーク環境内のネットワーク機器（ｗｉｆｉ機器やブルートゥース機器など）の情報のみを測定することができるため、端末の消費電力を削減することができる。
【図面の簡単な説明】
【００３９】
本開示の実施例の技術的解決策をより明確に説明するために、以下は、実施例の説明で使用される図面について簡単に紹介する。以下に説明される図面は、本開示のいくつかの実施例に過ぎず、当業者にとっては、創造的な作業なしに、これらの図面にしたがって他の図面を得ることもできることは自明である。
【図１】本開示の実施例によって提供されるシステムフレームワークの概略図である。
【図２】本開示の実施例によって提供されるドライブテストの最小化測定を実行する方法の例示的なフローチャートである
【図３】本開示の実施例によって提供されるシステムフレームワークの概略図である。
【図４】本開示の実施例によって提供されるドライブテストの最小化測定を実行する装置の例示的な構造図である。
【図５】本開示の実施例によって提供されるドライブテストの最小化測定を実行する装置の例示的な構造図である。
【図６】本開示の実施例によって提供される基地局の例示的な装置構造図である。
【図７】本開示の実施例によって提供されるターゲット端末の例示的な装置構造図である。
【発明を実施するための形態】
【００４０】
ここで、例示的な実施例について詳細に説明し、その例は図面に示す。特に明記しない限り、以下の説明が添付の図面に関する場合、異なる図面の同じ数字は同じまたは類似の要素を表す。以下の例示的な実施例で説明される実施形態は、本開示と一致するすべての実施形態を表すものではない。むしろ、それらは、添付された特許請求の範囲に詳述されたように、本開示の特定の態様と一致する装置および方法の例である。
【００４１】
本開示の例示的な実施例は、ドライブテストの最小化測定を実行する方法を提供し、当該方法は、基地局とターゲット端末の両方によって実現することができ、システムフレームワークは、図１に示される通りである。ここで、基地局は、無線通信システムにおける基地局、例えば、ＧＳＭまたはＣＤＭＡにおける基地局（ＢＴＳ：Ｂａｓｅ  Ｔｒａｎｓｃｅｉｖｅｒ  Ｓｔａｔｉｏｎ）、ＷＣＤＭＡ（登録商標）における基地局（ＮＢ：ＮｏｄｅＢ）、またはＬＴＥにおける進化型基地局（ｅＮＢまたはｅ−ＮｏｄｅＢ：Ｅｖｏｌｕｔｉｏｎａｌ  Ｎｏｄｅ  Ｂ）であり得る。ターゲット端末は、ユーザ機器（ＵＥ：Ｕｓｅｒ  Ｅｑｕｉｐｍｅｎｔ）、移動ステーション（ＭＳ：Ｍｏｂｉｌｅ  Ｓｔａｔｉｏｎ）、移動端末（Ｍｏｂｉｌｅ  Ｔｅｒｍｉｎａｌ）などとも呼ばれる。例えば、ターゲット端末は、携帯電話（または「セルラ」電話と呼ばれる）などであり得、ターゲット端末はまた、言語および／またはデータを無線アクセスネットワークと交換する、ポータブル、ミニスタイル、ハンドヘルド、コンピュータ内蔵または車載の移動装置であり得る。基地局が、ターゲットネットワーク環境の識別子を含むＭＤＴ構成情報をターゲット端末に送信した後、ターゲット端末は、ターゲットネットワーク環境の情報のみを測定して、ターゲットネットワーク環境の測定情報を取得し、ターゲットネットワーク環境の測定情報を基地局に送信することができる。
【００４２】
基地局は、プロセッサ、メモリおよびトランシーバなどのコンポーネントを備えることができる。プロセッサは、中央処理装置（ＣＰＵ：Ｃｅｎｔｒａｌ  Ｐｒｏｃｅｓｓｉｎｇ  Ｕｎｉｔ）などであり得、ターゲット端末に対応する、測定されるターゲットネットワーク環境の識別子を決定する関連処理に使用されることができる。メモリは、ランダムアクセスメモリ（ＲＡＭ：Ｒａｎｄｏｍ  Ａｃｃｅｓｓ  Ｍｅｍｏｒｙ）、フラッシュメモリ（Ｆｌａｓｈ）などであり得、ターゲットネットワーク環境の識別子やターゲットネットワーク環境の測定情報など、受信したデータ、処理プロセスで必要なデータ、処理プロセス中に生成されたデータなどを記憶するために使用されることができる。トランシーバは、ターゲット端末または他の機器（オペレータのサーバなど）とのデータ伝送に使用されることができ、例えば、ターゲットネットワーク環境の識別子を含むＭＤＴ構成情報をターゲット端末に送信し、ターゲット端末によって送信されたターゲットネットワーク環境の測定情報を受信することができる。トランシーバは、アンテナ、マッチング回路、モデムなどを備えることができる。
【００４３】
ターゲット端末は、プロセッサ、メモリおよびトランシーバなどのコンポーネントを備えることができる。プロセッサはＣＰＵなどであり得、ターゲットネットワーク環境の識別子に従って、ターゲットネットワーク環境の情報を測定する関連処理に使用されることができる。メモリはＲＡＭ、Ｆｌａｓｈなどであり得、ターゲットネットワーク環境の識別子を含むＭＤＴ構成情報など、受信したデータ、処理プロセスで必要なデータ、処理プロセス中に生成されたデータなどを記憶するために使用されることができる。トランシーバは、他の機器とのデータ伝送に使用されることができ、例えば、基地局によって送信された、ターゲットネットワーク環境の識別子を含むＭＤＴ構成情報を受信し、ターゲットネットワーク環境の測定情報を基地局に送信することができる。トランシーバは、アンテナ、マッチング回路、モデムなどを備えることができる。
【００４４】
以下、図２に示す処理フローについて、実施形態を参照して詳細に説明し、この内容は以下の通りであり得る。
【００４５】
ステップ２０１において、基地局は、ターゲット端末に対応する、測定されるターゲットネットワーク環境の識別子を決定する。
【００４６】
ここで、ターゲット端末は、ＭＤＴ構成情報で構成する任意の端末であり得る。
【００４７】
実施において、モバイルネットワーク（またはセルラーネットワークと呼ばれる）を最適化するために、通常、ＭＤＴ技術を使用して、モバイルネットワークを最適化するために必要な関連情報を取得する。具体的には、基地局は、ＭＤＴ構成情報で構成されるターゲット端末について、ターゲット端末に対応するアクティブエリアを決定でき、さらに、当該アクティブエリア内の位置をカバーする信号のネットワーク環境識別子を、ターゲット端末に対応する、測定されるターゲットネットワーク環境の識別子として決定でき、ここで、異なるターゲット端末に対応するターゲットネットワーク環境の識別子は、同じでも異なっていてもよい。または、基地局が、ターゲット端末に対応するアクティブエリアを決定した後、対応するネットワーク機器（ネットワーク機器は、ブルートゥース機器やｗｉｆｉ機器などの、対応するネットワーク環境の信号を生成する機器であり得る）によって、当該アクティブエリアに配置されたネットワーク環境の識別子を、ターゲット端末に対応する、測定されるターゲットネットワーク環境の識別子として決定できる。
【００４８】
代替的に、ターゲットネットワーク環境は、ターゲット無線ネットワーク環境、例えば、ターゲットブルートゥースネットワーク環境、ターゲットｗｉｆｉネットワーク環境、ターゲットブルートゥースネットワーク環境、およびターゲットｗｉｆｉネットワーク環境であってもよい。
【００４９】
代替的に、ターゲットネットワーク環境が異なる場合、ターゲットネットワーク環境に対応する識別子も異なる。対応的に、ターゲットネットワーク環境が、ターゲットｗｉｆｉネットワーク環境を含む場合、ターゲットネットワーク環境の識別子は、ターゲットｗｉｆｉネットワーク環境のＳＳＩＤを含み、ターゲットネットワーク環境が、ターゲットブルートゥースネットワーク環境を含む場合、ターゲットネットワーク環境の識別子は、ターゲットブルートゥースネットワーク環境の名前を含む。
【００５０】
実施において、ターゲットネットワーク環境がターゲットｗｉｆｉネットワーク環境である場合、ターゲットネットワーク環境の識別子は、ターゲットｗｉｆｉネットワーク環境のＳＳＩＤであり得、例えば、ターゲットｗｉｆｉネットワーク環境のＳＳＩＤが「チャイナモバイル（Ｃｈｉｎａ  Ｍｏｂｉｌｅ）」である。ターゲットネットワーク環境がターゲットブルートゥースネットワーク環境である場合、ターゲットネットワーク環境の識別子は、ターゲットブルートゥースネットワーク環境の名前であり得、ここで、ターゲットブルートゥースネットワーク環境の名前は、対応するブルートゥース信号の名称であり得、例えば、ターゲットブルートゥースネットワーク環境の名前が「モバイルブルートゥース」である。ターゲットネットワーク環境がターゲットｗｉｆｉネットワーク環境およびターゲットブルートゥースネットワーク環境である場合、ターゲットネットワーク環境の識別子は、ターゲットｗｉｆｉネットワーク環境のＳＳＩＤおよびターゲットブルートゥースネットワーク環境の名前であり得る。
【００５１】
ステップ２０２において、基地局が、ＭＤＴ構成情報をターゲット端末に送信し、ＭＤＴ構成情報は、ターゲットネットワーク環境の識別子を含む。
【００５２】
実施において、基地局が、ターゲット端末に対応する、測定されるターゲットネットワーク環境の識別子を決定した後、図３に示されるように、ターゲットネットワーク環境の識別子を含むＭＤＴ構成情報をターゲット端末に送信することができる。つまり、基地局がＭＤＴ構成情報をターゲット端末に送信するときに、ターゲット端末のための、測定されるターゲットネットワーク環境の識別子を配置することができ、ここで、ＭＤＴ構成情報はまた、ターゲット端末がＭＤＴ測定を実行するための他のパラメータを含み得る。
【００５３】
代替的に、基地局は、ターゲット端末に対して異なるタイプのＭＤＴ配置を実行することができ、異なるタイプのＭＤＴ配置を実行するとき、ＭＤＴ構成情報を搬送するシグナリングは異なり、即ち、ＭＤＴ構成情報は、Ｌｏｇｇｅｄ  Ｍｅａｓｕｒｅｍｅｎｔ  Ｃｏｎｆｉｇｕｒａｔｉｏｎシグナリングで搬送されることができ、または、ＭＤＴ構成情報は、ＲＲＣＣｏｎｎｅｃｔｉｏｎ  Ｒｅｃｏｎｆｉｇｕｒａｔｉｏｎシグナリングで搬送されることができる。
【００５４】
実施において、ＭＤＴ技術では、基地局はターゲット端末に対して、ログＭＴＤ（Ｌｏｇｇｅｄ  ＭＤＴ）配置、または即時ＭＤＴ（Ｉｍｍｅｄｉａｔｅ  ＭＤＴ）配置など、異なるタイプのＭＤＴ配置を実行することができる。基地局がターゲット端末に対してログＭＤＴ配置を実行する場合、基地局は、Ｌｏｇｇｅｄ  Ｍｅａｓｕｒｅｍｅｎｔ  Ｃｏｎｆｉｇｕｒａｔｉｏｎシグナリングを介して、ターゲットネットワーク環境の識別子を含むＭＤＴ構成情報をターゲット端末に送信することができ、即ち、ＭＤＴ構成情報が、Ｌｏｇｇｅｄ  Ｍｅａｓｕｒｅｍｅｎｔ  Ｃｏｎｆｉｇｕｒａｔｉｏｎシグナリングで搬送される。基地局がターゲット端末に対して即時ＭＤＴ配置を実行する場合、基地局は、ＲＲＣＣｏｎｎｅｃｔｉｏｎ  Ｒｅｃｏｎｆｉｇｕｒａｔｉｏｎシグナリングを介して、ターゲットネットワーク環境の識別子を含むＭＤＴ構成情報をターゲット端末に送信することができる。
【００５５】
ステップ２０３において、ターゲット端末が、基地局によって送信されたＭＤＴ構成情報を受信し、ＭＤＴ構成情報は、ターゲットネットワーク環境の識別子を含む。
【００５６】
実施において、基地局が、ターゲットネットワーク環境の識別子を含むＭＤＴ構成情報をターゲット端末に送信した後、ターゲット端末は、基地局によって送信されたＭＤＴ構成情報受信することができる。
【００５７】
代替的に、ターゲットネットワーク環境は、ターゲット無線ネットワーク環境、例えば、ターゲットブルートゥースネットワーク環境であってもよく、ターゲットｗｉｆｉネットワーク環境であってもよく、ターゲットブルートゥースネットワーク環境、およびターゲットｗｉｆｉネットワーク環境であってもよい。
【００５８】
代替的に、ターゲットネットワーク環境が異なる場合、ターゲットネットワーク環境に対応する識別子も異なる。対応的に、ターゲットネットワーク環境が、ターゲットｗｉｆｉネットワーク環境を含む場合、ターゲットネットワーク環境の識別子は、ターゲットｗｉｆｉネットワーク環境のＳＳＩＤを含み、ターゲットネットワーク環境が、ターゲットブルートゥースネットワーク環境を含む場合、ターゲットネットワーク環境の識別子は、ターゲットブルートゥースネットワーク環境の名前を含む。
【００５９】
実施において、ターゲットネットワーク環境がターゲットｗｉｆｉネットワーク環境である場合、ターゲットネットワーク環境の識別子は、ターゲットｗｉｆｉネットワーク環境のＳＳＩＤであり得、例えば、ターゲットｗｉｆｉネットワーク環境のＳＳＩＤが「チャイナモバイル」である。ターゲットネットワーク環境がターゲットブルートゥースネットワーク環境である場合、ターゲットネットワーク環境の識別子は、ターゲットブルートゥースネットワーク環境の名前であり得、ここで、ターゲットブルートゥースネットワーク環境の名前は、対応するブルートゥース信号の名称であり得、例えば、ターゲットブルートゥースネットワーク環境の名前が「モバイルブルートゥース」である。ターゲットネットワーク環境がターゲットｗｉｆｉネットワーク環境およびターゲットブルートゥースネットワーク環境である場合、ターゲットネットワーク環境の識別子は、ターゲットｗｉｆｉネットワーク環境のＳＳＩＤおよびターゲットブルートゥースネットワーク環境の名前であり得る。
【００６０】
代替的に、基地局は、ターゲット端末に対して異なるタイプのＭＤＴ配置を実行することができ、異なるタイプのＭＤＴ配置を実行するとき、ＭＤＴ構成情報を搬送するシグナリングは異なり、即ち、ＭＤＴ構成情報は、Ｌｏｇｇｅｄ  Ｍｅａｓｕｒｅｍｅｎｔ  Ｃｏｎｆｉｇｕｒａｔｉｏｎシグナリングで搬送されることができ、または、ＭＤＴ構成情報は、ＲＲＣＣｏｎｎｅｃｔｉｏｎ  Ｒｅｃｏｎｆｉｇｕｒａｔｉｏｎシグナリングで搬送されることができる。
【００６１】
実施において、ＭＤＴ技術では、基地局は、ターゲット端末に対して、ログＭＴＤ（Ｌｏｇｇｅｄ  ＭＤＴ）配置、または即時ＭＤＴ（Ｉｍｍｅｄｉａｔｅ  ＭＤＴ）配置など、異なるタイプのＭＤＴ配置を実行することができる。基地局がターゲット端末に対してログＭＤＴ配置を実行する場合、基地局は、Ｌｏｇｇｅｄ  Ｍｅａｓｕｒｅｍｅｎｔ  Ｃｏｎｆｉｇｕｒａｔｉｏｎシグナリングを介して、ターゲットネットワーク環境の識別子を含むＭＤＴ構成情報をターゲット端末に送信することができ、対応的に、ターゲット端末は、基地局によって送信されたＬｏｇｇｅｄ  Ｍｅａｓｕｒｅｍｅｎｔ  Ｃｏｎｆｉｇｕｒａｔｉｏｎシグナリングを受信することができ、さらに、受信したＬｏｇｇｅｄ  Ｍｅａｓｕｒｅｍｅｎｔ  Ｃｏｎｆｉｇｕｒａｔｉｏｎシグナリングを解析して、これに含まれるＭＤＴ構成情報を取得することができる。基地局がターゲット端末に対して即時ＭＤＴ配置を実行する場合、基地局は、ＲＲＣＣｏｎｎｅｃｔｉｏｎ  Ｒｅｃｏｎｆｉｇｕｒａｔｉｏｎシグナリングを介して、ターゲットネットワーク環境の識別子を含むＭＤＴ構成情報をターゲット端末に送信することができ、対応的に、ターゲット端末は、基地局によって送信されたＲＲＣＣｏｎｎｅｃｔｉｏｎ  Ｒｅｃｏｎｆｉｇｕｒａｔｉｏｎシグナリングを受信することができ、さらに、これを解析して、これに含まれるＭＤＴ構成情報を取得することができる。
【００６２】
ステップ２０４において、ターゲット端末が、ターゲットネットワーク環境の識別子に従って、ターゲットネットワーク環境の情報を測定して、ターゲットネットワーク環境の測定情報を取得する。
【００６３】
ここで、ターゲットネットワーク環境の測定情報は、ターゲット端末の現在の位置を決定するために基地局によって使用される情報であり得る。
【００６４】
実施において、ターゲット端末が、ターゲットネットワーク環境の識別子を含むＭＤＴ構成情報を受信した後、ターゲットネットワーク環境の識別子に従って、信号がターゲット端末の現在位置をカバーするターゲットネットワーク環境の情報のみを測定して、ターゲットネットワーク環境の測定情報を取得することができ、他のネットワーク環境の情報を測定しなくなる。ターゲット端末が、ターゲットネットワーク環境の識別子を含むＭＤＴ構成情報を受信した後、ターゲットネットワーク環境の情報を測定するだけでなく、モバイルネットワーク信号情報も測定できる。ここで、ターゲット端末は、ターゲットネットワーク環境の情報およびモバイルネットワーク信号情報を同時に測定してもよいし、先にモバイルネットワーク信号を測定し、モバイルネットワーク信号が弱いことを検出すると、ターゲットネットワーク環境の情報を測定してもよいが、本開示の実施例はこれに対して限定しない。
【００６５】
代替的に、取得されたターゲットネットワーク環境の異なる測定情報に基づいて、ステップ２０４の処理方式は様々であり得、以下はいくつかの実行可能な処理方式を記述する。
【００６６】
方式１において、ターゲットネットワーク環境の識別子は、複数の識別子であり、ターゲットネットワーク環境の識別子に従って、ターゲットネットワーク環境に対応する信号強度を測定し、測定された最大信号強度に対応するターゲットネットワーク環境の識別子を、ターゲットネットワーク環境の測定情報として決定する。
【００６７】
実施において、ターゲット端末に対応する、測定されるターゲットネットワーク環境の識別子は、複数の識別子であり得、例えば、ターゲット端末に対応するアクティブエリア内の位置をカバーする信号に対応する、各ネットワーク環境の識別子であってもよいし、対応するネットワーク機器によって、ターゲット端末に対応するアクティブエリア内に配置された各ネットワーク環境の識別子であってもよい。この場合、ターゲット端末がＭＤＴ構成情報を受信した後、検出された各ネットワーク環境の識別子から、ターゲットネットワーク環境の識別を決定でき、さらに、決定されたターゲットネットワーク環境の識別子に従って、ターゲットネットワーク環境に対応する信号強度を測定できる。次に、測定された各信号強度から、最大信号強度を決定することができ、さらに、最大信号強度に対応するターゲットネットワーク環境の識別子を、ターゲットネットワーク環境の測定情報として決定することができる。また、検出された各ネットワーク環境の識別子から、１つだけのターゲットネットワーク環境の識別子を決定した場合、ターゲット端末は、決定されたターゲットネットワーク環境の識別子を、ターゲットネットワーク環境の測定情報として直接決定することができる。つまり、検出された各ネットワーク環境の識別子が、１つのターゲットネットワーク環境の識別子を含む場合、ターゲット端末は、決定された１つのターゲットネットワーク環境の識別子を、ターゲットネットワーク環境の測定情報として決定することができる。この場合、方式１の処理プロセスは、以下の通りであり得る。検出された各ネットワーク環境の識別子が、複数のターゲットネットワーク環境の識別子を含む場合、ターゲットネットワーク環境の識別子に従って、ターゲットネットワーク環境に対応する信号強度を測定し、測定された最大信号強度に対応するターゲットネットワーク環境の識別子を、ターゲットネットワーク環境の測定情報として決定する。
【００６８】
方式２において、ターゲットネットワーク環境の識別子は、１つまたは複数の識別子であり、ターゲットネットワーク環境に対応するネットワーク機器は、複数のネットワーク機器であり、ターゲットネットワーク環境の識別子に従って、ターゲットネットワーク環境に対応する信号強度を測定し、最大信号強度を生成したネットワーク機器の識別子を、ターゲットネットワーク環境の測定情報として決定する。
【００６９】
実施において、ターゲットネットワーク環境に対応するネットワーク機器は、複数のネットワーク機器であり得る。ここで、ターゲットネットワーク環境の識別子が１つの識別子であり、当該ターゲットネットワーク環境に対応するネットワーク機器が複数のネットワーク機器であってもよいし、ターゲットネットワーク環境の識別子が複数の識別子であり、各ターゲットネットワーク環境に対応するネットワーク機器が１つまたは複数のネットワーク機器であってもよい。この場合、ターゲット端末がＭＤＴ構成情報を受信した後、検出された各ネットワーク環境の識別子から、ターゲットネットワーク環境の識別を決定でき、さらに、決定されたターゲットネットワーク環境の識別子に従って、ターゲットネットワーク環境に対応する信号強度を測定できる。次に、測定された各信号強度から、最大信号強度を決定することができ、さらに、ターゲット端末は、最大信号強度を生成したネットワーク機器の識別子（ネットワーク機器のＭＡＣアドレスなど）を決定でき、即ち、ターゲット端末に最も近いネットワーク機器の識別子を決定でき、ネットワーク機器の識別子をターゲットネットワーク環境の測定情報として決定することができる。
【００７０】
また、方式１および方式２の場合、ターゲット端末は、最大信号強度をターゲットネットワーク環境の測定情報として決定することもできる。
【００７１】
ステップ２０５において、ターゲット端末が、ターゲットネットワーク環境の測定情報を基地局に送信する。
【００７２】
実施において、ターゲット端末は、ターゲットネットワーク環境の測定情報を取得した後、ターゲットネットワーク環境の測定情報を基地局に送信することができる。さらに、ターゲット端末がＭＤＴ構成情報を受信してモバイルネットワーク信号情報を測定する場合、ターゲット端末が、モバイルネットワーク信号情報を測定した後、モバイルネットワーク信号情報を基地局に送信することができる。ここで、ターゲット端末は、モバイルネットワーク信号情報およびターゲットネットワーク環境の測定情報を基地局に同時に送信してもよく、モバイルネットワーク信号情報およびターゲットネットワーク環境の測定情報を基地局に別々に送信してもよい。
【００７３】
ステップ２０６において、基地局が、ターゲット端末によって送信されたターゲットネットワーク環境の測定情報を受信し、ターゲットネットワーク環境の測定情報は、ターゲット端末のモバイルネットワーク信号情報に関連する。
【００７４】
実施において、ターゲット端末が、ターゲットネットワーク環境の測定情報を基地局に送信した後、基地局は、ターゲット端末によって送信されたターゲットネットワーク環境の測定情報を受信することができる。また、ターゲット端末が、モバイルネットワーク信号情報を基地局に送信する場合、対応的に、基地局は、ターゲット端末によって送信されたモバイルネットワーク信号情報を受信することができ、ターゲットネットワーク環境の測定情報は、ターゲット端末のモバイルネットワーク信号情報に関連する。
【００７５】
また、基地局が、ターゲット端末によって送信されたターゲットネットワーク環境の測定情報を受信した後、ターゲットネットワーク環境の測定情報に従って、ターゲット端末の現在位置を決定することができる。具体的には、上記の方式１の場合、基地局は、各ネットワーク環境の識別子と地理的位置との対応関係を事前に記憶することができる。基地局が、ターゲット端末によって送信された最大信号強度に対応するターゲットネットワーク環境の識別子を受信した後、上記の対応関係から、ターゲット端末によって送信されたターゲットネットワーク環境の識別子に対応する地理的位置を決定することができ、さらに、当該地理的位置をターゲット端末の現在位置として決定することができる。上記の方式２の場合、基地局は、各ネットワーク機器の識別子と地理的位置との対応関係を事前に記憶することができる。基地局が、ターゲット端末によって送信された、最大信号強度を生成したネットワーク機器の識別子を受信した後、上記の対応関係から、ターゲット端末によって送信されたネットワーク機器の識別子に対応する地理的位置を決定することができ、さらに、当該地理的位置をターゲット端末の現在位置として決定することができる。
【００７６】
本開示の実施例において、基地局は、ＭＤＴ構成情報をターゲット端末に送信する前に、先にターゲット端末に対応する、測定されるターゲットネットワーク環境の識別子を決定し、さらに、ターゲットネットワーク環境の識別子を含むＭＤＴ構成情報をターゲット端末に送信することができる。対応的に、ターゲット端末は、基地局によって送信されたＭＤＴ構成情報を受信した後、ターゲットネットワーク環境の識別子に従って、ターゲットネットワーク環境の情報を測定し、ターゲットネットワーク環境の測定情報を基地局に送信することができ、ここで、ターゲットネットワーク環境の測定情報は、ターゲット端末のモバイルネットワーク信号情報に関連する。これにより、ターゲット端末は、ターゲットネットワーク環境の情報のみを測定することができ、つまり、すべてのネットワーク環境内のネットワーク機器の情報を測定せずに、ターゲットネットワーク環境内のネットワーク機器（ｗｉｆｉ機器やブルートゥース機器など）の情報のみを測定することができるため、端末の消費電力を削減することができる。
【００７７】
同じ技術構想に基づいて、本開示の別の例示的な実施例は、ドライブテストの最小化測定を実行する装置を提供し、当該装置は上記の基地局であり得、図４に示されるように、当該装置は、
ターゲット端末に対応する、測定するターゲットネットワーク環境の識別子を決定するように構成される決定モジュール４１０と、
ドライブテストの最小化（ＭＤＴ）構成情報をターゲット端末に送信するように構成される送信モジュールであって、前記ＭＤＴ構成情報は、前記ターゲットネットワーク環境の識別子を含む送信モジュール４２０と、
前記ターゲット端末によって送信された、前記ターゲットネットワーク環境の測定情報を受信するように構成される受信モジュールであって、前記ターゲットネットワーク環境の測定情報は、前記ターゲット端末のモバイルネットワーク信号情報に関連する受信モジュール４３０とを備える。
【００７８】
代替的に、前記ターゲットネットワーク環境は、ターゲットブルートゥースネットワーク環境および／またはターゲットワイヤレスフィデリティ（ｗｉｆｉ）ネットワーク環境を含む。
【００７９】
代替的に、前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含む。
【００８０】
代替的に、前記ＭＤＴ構成情報は、ログ測定構成（ＬｏｇｇｅｄＭｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送される。
【００８１】
同じ技術構想に基づいて、本開示の別の例示的な実施例は、ドライブテストの最小化測定を実行する装置を提供し、当該装置は上記のターゲット端末であり得、図５に示されるように、当該装置は、
基地局によって送信されたドライブテストの最小化（ＭＤＴ）構成情報を受信するように構成される受信モジュールであって、前記ＭＤＴ構成情報は、ターゲットネットワーク環境の識別子を含む受信モジュール５１０と、
前記ターゲットネットワーク環境の識別子に従って、前記ターゲットネットワーク環境の情報を測定して、前記ターゲットネットワーク環境の測定情報を取得するように構成される測定モジュール５２０と、
前記ターゲットネットワーク環境の測定情報を前記基地局に送信するように構成される送信モジュール５３０とを備える。
【００８２】
代替的に、前記ターゲットネットワーク環境は、ターゲットブルートゥースネットワーク環境および／またはターゲットワイヤレスフィデリティ（ｗｉｆｉ）ネットワーク環境を含む。
【００８３】
代替的に、前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含む。
【００８４】
代替的に、前記ターゲットネットワーク環境の識別子は、複数の識別子であり、
前記測定モジュール５２０は、
前記ターゲットネットワーク環境の識別子に従って、前記ターゲットネットワーク環境に対応する信号強度を測定し、
測定された最大信号強度に対応するターゲットネットワーク環境の識別子を、ターゲットネットワーク環境の測定情報として決定するように構成される。
【００８５】
代替的に、前記ターゲットネットワーク環境の識別子は、１つまたは複数の識別子であり、ターゲットネットワーク環境に対応するネットワーク機器は、複数のネットワーク機器であり、
前記測定モジュール５２０は、
前記ターゲットネットワーク環境の識別子に従って、前記ターゲットネットワーク環境に対応する信号強度を測定し、
最大信号強度を生成したネットワーク機器の識別子を、ターゲットネットワーク環境の測定情報として決定するように構成される。
【００８６】
代替的に、前記ＭＤＴ構成情報は、ログ測定構成（Ｌｏｇｇｅｄ  Ｍｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送される。
【００８７】
本開示の実施例において、基地局は、ＭＤＴ構成情報をターゲット端末に送信する前に、先にターゲット端末に対応する、測定されるターゲットネットワーク環境の識別子を決定し、さらに、ターゲットネットワーク環境の識別子を含むＭＤＴ構成情報をターゲット端末に送信することができる。対応的に、ターゲット端末は、基地局によって送信されたＭＤＴ構成情報を受信した後、ターゲットネットワーク環境の識別子に従って、ターゲットネットワーク環境の情報を測定し、ターゲットネットワーク環境の測定情報を基地局に送信することができ、ここで、ターゲットネットワーク環境の測定情報は、ターゲット端末のモバイルネットワーク信号情報に関連する。これにより、ターゲット端末は、ターゲットネットワーク環境の情報のみを測定することができ、つまり、すべてのネットワーク環境内のネットワーク機器の情報を測定せずに、ターゲットネットワーク環境内のネットワーク機器（ｗｉｆｉ機器やブルートゥース機器など）の情報のみを測定することができるため、端末の消費電力を削減することができる。
【００８８】
上記の実施例によって提供されるドライブテストの最小化測定を実行する装置が、ドライブテストの最小化測定を実行する場合、上記の各機能モジュールの分割のみを例に挙げて説明したが、実際の応用では、必要に応じて、上記の機能を異なる機能モジュールに割り当てて実行されてもよく、即ち、基地局およびターゲット端末の内部構造を異なる機能モジュールに分割して、上記の機能のすべてまたは一部を完了することができることを留意されたい。なお、上記の実施例によって提供されるドライブテストの最小化測定を実行する装置は、ドライブテストの最小化測定を実行する方法の実施例と同じ構想に属し、この具体的な実現プロセスについては方法の実施例を参照し、ここでは再度説明しない。
【００８９】
同じ技術構想に基づいて、本開示の別の例示的な実施例は、ドライブテストの最小化測定を実行するシステムを提供し、前記システムは、基地局およびターゲット端末を含み、ここで、
前記基地局は、ターゲット端末に対応する、測定されるターゲットネットワーク環境の識別子を決定し、ドライブテストの最小化（ＭＤＴ）構成情報をターゲット端末に送信し、前記ＭＤＴ構成情報は、前記ターゲットネットワーク環境の識別子を含み、前記ターゲット端末によって送信された、前記ターゲットネットワーク環境の測定情報を受信するように構成され、前記ターゲットネットワーク環境の測定情報は、前記ターゲット端末のモバイルネットワーク信号情報に関連する。
【００９０】
前記ターゲット端末は、基地局によって送信されたドライブテストの最小化（ＭＤＴ）構成情報を受信し、前記ターゲットネットワーク環境の識別子に従って、前記ターゲットネットワーク環境の情報を測定して、前記ターゲットネットワーク環境の測定情報を取得し、前記ターゲットネットワーク環境の測定情報を前記基地局に送信するように構成される。
【００９１】
本開示の実施例において、基地局は、ＭＤＴ構成情報をターゲット端末に送信する前に、先にターゲット端末に対応する、測定されるターゲットネットワーク環境の識別子を決定し、さらに、ターゲットネットワーク環境の識別子を含むＭＤＴ構成情報をターゲット端末に送信することができる。対応的に、ターゲット端末は、基地局によって送信されたＭＤＴ構成情報を受信した後、ターゲットネットワーク環境の識別子に従って、ターゲットネットワーク環境の情報を測定し、ターゲットネットワーク環境の測定情報を基地局に送信することができ、ここで、ターゲットネットワーク環境の測定情報は、ターゲット端末のモバイルネットワーク信号情報に関連する。これにより、ターゲット端末は、ターゲットネットワーク環境の情報のみを測定することができ、つまり、すべてのネットワーク環境内のネットワーク機器の情報を測定せずに、ターゲットネットワーク環境内のネットワーク機器（ｗｉｆｉ機器やブルートゥース機器など）の情報のみを測定することができるため、端末の消費電力を削減することができる。
【００９２】
図６は、一例示的な実施例によって示されるドライブテストの最小化測定を実行する装置１９００のブロック図である。例えば、装置１９００は、基地局として提供されてもよい。図６を参照すると、装置１９００は、処理コンポーネント１９２２を含み、さらに１つまたは複数のプロセッサ、およびメモリ１９３２で代表されるメモリリソースを含み、例えば、アプリケーションプログラムなど、処理コンポーネント１９２２によって実行される命令を記憶するように構成される。メモリ１９３２に記憶されたアプリケーションプログラムは、それぞれが１セットの命令に対応する１つまたは複数のモジュールを含み得る。さらに、処理コンポーネント１９２２は、上記のドライブテストの最小化測定を実行する方法を実行するための命令を実行するように構成される。
【００９３】
装置１９００は、装置１９００の電力管理を実行するように構成される電力コンポーネット１９２６、装置１９００をネットワークにアクセスするように構成される有線または無線ネットワークインターフェース１９５０、および入力／出力（Ｉ／Ｏ）インターフェース１９５８を含み得る。装置１９００は、メモリ１９３２に記憶されたＷｉｎｄｏｗｓ  ＳｅｒｖｅｒＴＭ、Ｍａｃ  ＯＳ  ＸＴＭ、ＵｎｉｘＴＭ、  Ｌｉｎｕｘ（登録商標）ＴＭ、ＦｒｅｅＢＳＤＴＭまたは類似のものなどの操作システムに基づいて操作されることができる。
【００９４】
装置１９００は、メモリと、１つまたは複数のプログラムとを備えることができ、１つまたは複数のプログラムは、メモリに記憶され、且つ１つまたは複数のプロセッサによって実行されるように構成され、前記１つまたは複数のプログラムは、
ターゲット端末に対応する、測定されるターゲットネットワーク環境の識別子を決定すること、
ドライブテストの最小化（ＭＤＴ）構成情報をターゲット端末に送信することであって、前記ＭＤＴ構成情報は、前記ターゲットネットワーク環境の識別子を含むこと
前記ターゲット端末によって送信された、前記ターゲットネットワーク環境の測定情報を受信することであって、前記ターゲットネットワーク環境の測定情報は、前記ターゲット端末のモバイルネットワーク信号情報に関連することの操作を実行するための命令を含む。
【００９５】
代替的に、前記ターゲットネットワーク環境は、ターゲットブルートゥースネットワーク環境および／またはターゲットワイヤレスフィデリティ（ｗｉｆｉ）ネットワーク環境を含む。
【００９６】
代替的に、前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含む。
【００９７】
代替的に、前記ＭＤＴ構成情報は、ログ測定構成（ＬｏｇｇｅｄＭｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送される。
【００９８】
一例示的な実施例において、非一時的なコンピュータ読み取り可能な記憶媒体をさらに提供し、前記記憶媒体に、少なくとも１つの命令、少なくとも１つのプログラム、コードセットまたは命令セットが記憶され、前記少なくとも１つの命令、前記少なくとも１つのプログラム、前記コードセットまたは命令セットが、プロセッサによってロードおよび実行されると、上記のドライブテストの最小化測定を実行する方法を実現する。
【００９９】
本開示の実施例において、基地局は、ＭＤＴ構成情報をターゲット端末に送信する前に、先にターゲット端末に対応する、測定されるターゲットネットワーク環境の識別子を決定し、さらに、ターゲットネットワーク環境の識別子を含むＭＤＴ構成情報をターゲット端末に送信することができる。対応的に、ターゲット端末は、基地局によって送信されたＭＤＴ構成情報を受信した後、ターゲットネットワーク環境の識別子に従って、ターゲットネットワーク環境の情報を測定し、ターゲットネットワーク環境の測定情報を基地局に送信することができ、ここで、ターゲットネットワーク環境の測定情報は、ターゲット端末のモバイルネットワーク信号情報に関連する。これにより、ターゲット端末は、ターゲットネットワーク環境の情報のみを測定することができ、つまり、すべてのネットワーク環境内のネットワーク機器の情報を測定せずに、ターゲットネットワーク環境内のネットワーク機器（ｗｉｆｉ機器やブルートゥース機器など）の情報のみを測定することができるため、端末の消費電力を削減することができる。
【０１００】
本開示の実施例はまた、端末の例示的な構造図を示す。当該端末は、携帯電話、タブレットコンピュータなどの上述のターゲット端末であり得る。
【０１０１】
図７を参照すれば、端末７００は、処理コンポーネント７０２、メモリ７０４、電力コンポーネント７０６、マルチメディアコンポーネント７０８、オーディオコンポーネント７１０、入力／出力（Ｉ／Ｏ）インターフェース７１２、センサコンポーネント７１４、及び通信コンポーネント７１６のうちの１つまたは複数のコンポーネットを含むことができる。
【０１０２】
処理コンポーネント７０２は、一般的に、ディスプレイ、電話の呼び出し、データ通信、カメラ動作および記録動作に関連する動作のような端末７００の全般的な動作を制御する。処理コンポーネント７０２は、前記の方法のステップのすべてまたは一部を完了するために、１つまたは複数のプロセッサ７２０によって命令を実行する。加えて、処理コンポーネント７０２は、処理コンポーネント７０２および他のコンポーネントの間の相互作用を容易にするために、１つまたは複数のモジュールを含むことができる。例えば、処理コンポーネント７０２は、マルチメディアコンポーネント７０８および処理コンポーネント７０２の間の相互作用を容易にするために、マルチメディアモジュールを含むことができる。
【０１０３】
メモリ７０４は、端末７００での動作をサポートするために、様々なタイプのデータを格納するように構成される。これらのデータの例には、端末７００で動作する任意のアプリケーションまたは方法の指示、連絡先データ、電話帳データ、メッセージ、写真、ビデオ等が含まれる。メモリ７０４は、スタティックランダムアクセスメモリ（ＳＲＡＭ）、電気的に消去可能なプログラム可能な読み取り専用メモリ（ＥＥＰＲＯＭ）、消去可能なプログラム可能な読み取り専用メモリ（ＥＰＲＯＭ）、プログラム可能な読み取り専用メモリ（ＰＲＯＭ）、磁気メモリ、フラッシュメモリ、磁気ディスクまたは光ディスクなど、あらゆるタイプの揮発性または不揮発性ストレージデバイスまたはそれらの組み合わせによって具現されることができる。
【０１０４】
電力コンポーネント７０６は、端末７００の様々なコンポーネントに電力を提供する。電力コンポーネント７０６は、電力管理システム、１つまたは複数の電源、及び電子機器７００のための電力の生成、管理および割り当てに関する他のコンポーネントを含むことができる。
【０１０５】
マルチメディアコンポーネント７０８は、前記端末７００とユーザとの間の、出力インターフェースを提供するスクリーンを含む。いくつかの実施例において、スクリーンは、液晶ディスプレイ（ＬＣＤ）およびタッチパネル（ＴＰ）を含み得る。スクリーンがタッチパネルを含む場合、スクリーンは、ユーザからの入力信号を受信するためのタッチスクリーンとして実装されることができる。タッチパネルは、タッチ、スワイプ及びタッチパネルでのジェスチャーを感知するための１つまたは複数のタッチセンサを含む。前記タッチセンサは、タッチまたはスワイプ操作の境界を感知するだけでなく、前記タッチまたはスワイプ操作に関連する持続時間及び圧力も検出することができる。いくつかの実施例において、マルチメディアコンポーネント７０８は、１つのフロントカメラおよび／リアカメラを含む。端末７００が、撮影モードまたはビデオモードなどの動作モードにあるとき、フロントカメラおよび／またはリアカメラは、外部マルチメディアデータを受信することができる。各フロントカメラおよびリアカメラは、固定光学レンズシステムであり、または焦点距離と光学ズーム機能を持つことができる。
【０１０６】
オーディオコンポーネント７１０は、オーディオ信号を出力および／または入力するように構成される。例えば、オーディオコンポーネント７１０は、１つのマイクロフォン（ＭＩＣ）を含み、オーディオ出力機器７００が通話モード、録音モード及び音声認識モードなどの動作モードである場合、マイクロフォンは、外部オーディオ信号を受信するように構成される。受信されたオーディオ信号は、さらに、メモリ７０４に記憶されてもよく、または通信コンポーネント７１６によって送信されてもよい。
【０１０７】
Ｉ／Ｏインターフェース７１２は、処理コンポーネント７０２と周辺インターフェースモジュールとの間にインターフェースを提供し、前記周辺インターフェースモジュールは、キーボード、クリックホイール、ボタンなどであってもよい。これらのボタンは、ホームボタン、ボリュームボタン、スタートボタン、ロックボタンを含み得るが、これらに限定されない。
【０１０８】
センサコンポーネント７１４は、端末７００に各方面の状態の評価を提供するための１つまたは複数のセンサを含む。例えば、センサコンポーネント７１４は、端末７００のオン／オフ状態と、端末７００のディスプレイやキーパッドなどのコンポーネントの相対的な位置づけとを検出することができ、センサコンポーネント７１４は、端末７００または端末７００のコンポーネントの位置の変化、ユーザとの端末７００の接触の有無、端末７００の向きまたは加速／減速、および端末７００の温度の変化も検出することができる。センサコンポ―ネット７１４は、物理的接触なしに近くの物体の存在を検出するように構成された近接センサを含むことができる。センサコンポーネント７１４は、撮像用途で使用するためのＣＭＯＳまたはＣＣＤ画像センサなどの光センサも含むことができる。いくつかの実施例において、前記センサコンポーネント７１４は、加速度センサ、ジャイロスコープセンサ、磁気センサ、圧力センサまたは温度センサをさらに含むことができる。
【０１０９】
通信コンポーネント７１６は、端末７００と他の機器との間の有線または無線通信を容易にするように構成される。端末７００は、ＷｉＦｉ、２Ｇまたは３Ｇ、またはそれらの組み合わせなどの通信規格に基づく無線ネットワークにアクセスすることができる。一例示的な実施例において、通信コンポーネント７１６は、放送チャンネルによって外部放送管理システムからの放送信号または放送関連情報を受信する。一例示的な実施例において、前記通信コンポーネント７１６は、短距離通信を促進するための近距離通信（ＮＦＣ）モジュールをさらに含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及び他の技術に基づいて具現されることができる。
【０１１０】
一例示的な実施例において、端末７００は、前記方法を実行するために、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって具現されることができる。
【０１１１】
一例示的な実施例において、命令を含むメモリ７０４などの、命令を含む非一時的なコンピュータ読み取り可能な記憶媒体を提供し、前記命令は、端末７００のプロセッサ７２０によって実行されて前記方法を完了することができる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピーディスクおよび光学データ記憶装置などであってもよい。
【０１１２】
一例示的な実施例において、非一時的なコンピュータ読み取り可能な記憶媒体をさらに提供し、前記記憶媒体に記憶された命令が、端末のプロセッサによって実行されるときに、端末がドライブテストの最小化測定を実行する方法を実行するようにし、前記方法は、
基地局によって送信されたドライブテストの最小化（ＭＤＴ）構成情報を受信することであって、前記ＭＤＴ構成情報は、ターゲットネットワーク環境の識別子を含むことと、
前記ターゲットネットワーク環境の識別子に従って、前記ターゲットネットワーク環境の情報を測定して、前記ターゲットネットワーク環境の測定情報を取得することと、
前記ターゲットネットワーク環境の測定情報を前記基地局に送信することとを含む。
【０１１３】
代替的に、前記ターゲットネットワーク環境は、ターゲットブルートゥースネットワーク環境および／またはターゲットワイヤレスフィデリティ（ｗｉｆｉ）ネットワーク環境を含む。
【０１１４】
代替的に、前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含む。
【０１１５】
代替的に、前記ターゲットネットワーク環境の識別子は、複数の識別子であり、
前記ターゲットネットワーク環境の識別子に従って、前記ターゲットネットワーク環境の情報を測定して、前記ターゲットネットワーク環境の測定情報を取得することは、
前記ターゲットネットワーク環境の識別子に従って、前記ターゲットネットワーク環境に対応する信号強度を測定することと、
測定された最大信号強度に対応するターゲットネットワーク環境の識別子を、ターゲットネットワーク環境の測定情報として決定することとを含む。
【０１１６】
代替的に、前記ターゲットネットワーク環境の識別子は、１つまたは複数の識別子であり、ターゲットネットワーク環境に対応するネットワーク機器は、複数のネットワーク機器であり、
前記ターゲットネットワーク環境の識別子に従って、前記ターゲットネットワーク環境の情報を測定して、前記ターゲットネットワーク環境の測定情報を取得することは、
前記ターゲットネットワーク環境の識別子に従って、前記ターゲットネットワーク環境に対応する信号強度を測定することと、
最大信号強度を生成したネットワーク機器の識別子を、ターゲットネットワーク環境の測定情報として決定することとを含む。
【０１１７】
代替的に、前記ＭＤＴ構成情報は、ログ測定構成（Ｌｏｇｇｅｄ  Ｍｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送される。
【０１１８】
本開示の実施例において、基地局は、ＭＤＴ構成情報をターゲット端末に送信する前に、先にターゲット端末に対応する、測定されるターゲットネットワーク環境の識別子を決定し、さらに、ターゲットネットワーク環境の識別子を含むＭＤＴ構成情報をターゲット端末に送信することができる。対応的に、ターゲット端末は、基地局によって送信されたＭＤＴ構成情報を受信した後、ターゲットネットワーク環境の識別子に従って、ターゲットネットワーク環境の情報を測定し、ターゲットネットワーク環境の測定情報を基地局に送信することができ、ここで、ターゲットネットワーク環境の測定情報は、ターゲット端末のモバイルネットワーク信号情報に関連する。これにより、ターゲット端末は、ターゲットネットワーク環境の情報のみを測定することができ、つまり、すべてのネットワーク環境内のネットワーク機器の情報を測定せずに、ターゲットネットワーク環境内のネットワーク機器（ｗｉｆｉ機器やブルートゥース機器など）の情報のみを測定することができるため、端末の消費電力を削減することができる。
【０１１９】
当業者は、前記実施例の全てまたは一部のステップは、ハードウェアによって具現されてもよく、関連するハードウェアを完成するようにプログラムによって命令されてもよいことを理解することができ、前記プログラムは、コンピュータ読み取り可能な記憶媒体に記憶されることができ、上記に言及された記憶媒体は、読み取り専用メモリ、磁気ディスク、または光ディスクであり得る。
【０１２０】
上記は本開示の好ましい実施例に過ぎず、本開示を限定することを意図するものではなく、本開示の趣旨および原則内で行われるあらゆる修正、同等の置換、改善などは、本開示の保護範囲に含まれるべきである。
【図１】
2021510960.tif 000003
【図２】
2021510960.tif 000004
【図３】
2021510960.tif 000005
【図４】
2021510960.tif 000006
【図５】
2021510960.tif 000007
【図６】
2021510960.tif 000008
【図７】
2021510960.tif 000009
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
ドライブテストの最小化測定を実行する方法であって、
ターゲット端末に対応する、測定されるターゲットネットワーク環境の識別子を決定することと、
ドライブテストの最小化（ＭＤＴ）構成情報をターゲット端末に送信することであって、前記ＭＤＴ構成情報は、前記ターゲットネットワーク環境の識別子を含むことと、
前記ターゲット端末によって送信された、前記ターゲットネットワーク環境の測定情報を受信することであって、前記ターゲットネットワーク環境の測定情報は、前記ターゲット端末のモバイルネットワーク信号情報に関連することとを含むことを特徴とする、前記ドライブテストの最小化測定を実行する方法。
【請求項２】
前記ターゲットネットワーク環境は、ターゲットブルートゥースネットワーク環境および／またはターゲットワイヤレスフィデリティ（ｗｉｆｉ）ネットワーク環境を含むことを特徴とする、
請求項１に記載のドライブテストの最小化測定を実行する方法。
【請求項３】
前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含むことを特徴とする、
請求項２に記載のドライブテストの最小化測定を実行する方法。
【請求項４】
前記ＭＤＴ構成情報は、ログ測定構成（Ｌｏｇｇｅｄ  Ｍｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送されることを特徴とする、
請求項１ないし３のいずれか一項記載のドライブテストの最小化測定を実行する方法。
【請求項５】
ドライブテストの最小化測定を実行する方法であって、
基地局によって送信されたドライブテストの最小化（ＭＤＴ）構成情報を受信することであって、前記ＭＤＴ構成情報は、ターゲットネットワーク環境の識別子を含むことと、
前記ターゲットネットワーク環境の識別子に従って、前記ターゲットネットワーク環境の情報を測定して、前記ターゲットネットワーク環境の測定情報を取得することと、
前記ターゲットネットワーク環境の測定情報を前記基地局に送信することとを含むことを特徴とする、前記ドライブテストの最小化測定を実行する方法。
【請求項６】
前記ターゲットネットワーク環境は、ターゲットブルートゥースネットワーク環境および／またはターゲットワイヤレスフィデリティ（ｗｉｆｉ）ネットワーク環境を含む。
請求項５に記載のドライブテストの最小化測定を実行する方法。
【請求項７】
前記ターゲットネットワーク環境がターゲットｗｉｆｉネットワーク環境を含む場合、前記ターゲットネットワーク環境の識別子は、前記ターゲットｗｉｆｉネットワーク環境のサービスセット識別子（ＳＳＩＤ）を含み、前記ターゲットネットワーク環境がターゲットブルートゥースネットワーク環境を含む場合、前記ターゲットネットワーク環境の識別子は、前記ターゲットブルートゥースネットワーク環境の名前を含むことを特徴とする、
請求項６に記載のドライブテストの最小化測定を実行する方法。
【請求項８】
前記ターゲットネットワーク環境の識別子は、複数の識別子であり、
前記ターゲットネットワーク環境の識別子に従って、前記ターゲットネットワーク環境の情報を測定して、前記ターゲットネットワーク環境の測定情報を取得することは、
前記ターゲットネットワーク環境の識別子に従って、前記ターゲットネットワーク環境に対応する信号強度を測定することと、
測定された最大信号強度に対応するターゲットネットワーク環境の識別子を、ターゲットネットワーク環境の測定情報として決定することとを含むことを特徴とする、
請求項５に記載のドライブテストの最小化測定を実行する方法。
【請求項９】
前記ターゲットネットワーク環境の識別子は、１つまたは複数の識別子であり、ターゲットネットワーク環境に対応するネットワーク機器は、複数のネットワーク機器であり、
前記ターゲットネットワーク環境の識別子に従って、前記ターゲットネットワーク環境の情報を測定して、前記ターゲットネットワーク環境の測定情報を取得することは、
前記ターゲットネットワーク環境の識別子に従って、前記ターゲットネットワーク環境に対応する信号強度を測定することと、
最大信号強度を生成したネットワーク機器の識別子を、ターゲットネットワーク環境の測定情報として決定することとを含むことを特徴とする、
請求項５に記載のドライブテストの最小化測定を実行する方法。
【請求項１０】
前記ＭＤＴ構成情報は、ログ測定構成（Ｌｏｇｇｅｄ  Ｍｅａｓｕｒｅｍｅｎｔ  Ｃｏｎｆｉｇｕｒａｔｉｏｎ）シグナリングで搬送され、または、
前記ＭＤＴ構成情報は、無線リソース制御接続再構成（ＲＲＣＣｏｎｎｅｃｔｉｏｎ  Ｒｅｃｏｎｆｉｇｕｒａｔｉｏｎ）シグナリングで搬送されることを特徴とする、
請求項５ないし９のいずれか一項に記載のドライブテストの最小化測定を実行する方法。
【請求項１１】
ドライブテストの最小化測定を実行する装置であって、
前記装置は基地局であり、
ターゲット端末に対応する、測定されるターゲットネットワーク環境の識別子を決定するように構成される決定モジュールと、
ドライブテストの最小化（ＭＤＴ）構成情報をターゲット端末に送信するように構成される送信モジュールであって、前記ＭＤＴ構成情報は、前記ターゲットネットワーク環境の識別子を含む送信モジュールと、
前記ターゲット端末によって送信された、前記ターゲットネットワーク環境の測定情報を受信するように構成される受信モジュールであって、前記ターゲットネットワーク環境の測定情報は、前記ターゲット端末のモバイルネットワーク信号情報に関連する受信モジュールとを備えることを特徴とする、前記ドライブテストの最小化測定を実行する装置。
【請求項１２】
ドライブテストの最小化測定を実行する装置であって、
前記装置はターゲット端末であり、
基地局によって送信されたドライブテストの最小化（ＭＤＴ）構成情報を受信するように構成される受信モジュールであって、前記ＭＤＴ構成情報は、ターゲットネットワーク環境の識別子を含む受信モジュールと、
前記ターゲットネットワーク環境の識別子に従って、前記ターゲットネットワーク環境の情報を測定して、前記ターゲットネットワーク環境の測定情報を取得するように構成される測定モジュールと、
前記ターゲットネットワーク環境の測定情報を前記基地局に送信するように構成される送信モジュールとを備えることを特徴とする、前記ドライブテストの最小化測定を実行する装置。
【請求項１３】
基地局であって、
前記基地局は、プロセッサと、メモりとを備え、前記メモりに、少なくとも１つの命令、少なくとも１セグメントのプログラム、コードセットまたは命令セットが記憶され、前記少なくとも１つの命令、前記少なくとも１セグメントのプログラム、前記コードセットまたは命令セットが、前記プロセッサによってロードおよび実行されると、請求項１ないし４のいずれか一項に記載のドライブテストの最小化測定を実行する方法を実現することを特徴とする、前記基地局。
【請求項１４】
ターゲット端末であって、
前記ターゲット端末は、プロセッサと、メモりとを備え、前記メモりに、少なくとも１つの命令、少なくとも１セグメントのプログラム、コードセットまたは命令セットが記憶され、前記少なくとも１つの命令、前記少なくとも１セグメントのプログラム、前記コードセットまたは命令セットが、前記プロセッサによってロードおよび実行されると、請求項５ないし１０のいずれか一項に記載のドライブテストの最小化測定を実行する方法を実現することを特徴とする、前記ターゲット端末。
【請求項１５】
コンピュータ読み取り可能な記憶媒体であって、
前記記憶媒体に、少なくとも１つの命令、少なくとも１セグメントのプログラム、コードセットまたは命令セットが記憶され、前記少なくとも１つの命令、前記少なくとも１セグメントのプログラム、前記コードセットまたは命令セットが、プロセッサによってロードおよび実行されると、請求項１ないし４のいずれか一項に記載の方法、または請求項５ないし１０のいずれか一項に記載のドライブテストの最小化測定を実行する方法を実現することを特徴とする、前記コンピュータ読み取り可能な記憶媒体。
【請求項１６】
ドライブテストの最小化測定を実行するシステムであって、
前記システムは、基地局およびターゲット端末を含み、
前記基地局は、請求項１１および請求項１３のいずれか一項に記載の基地局であり、
前記ターゲット端末は、請求項１２および請求項１４のいずれか一項に記載のターゲット端末であることを特徴とする、前記ドライブテストの最小化測定を実行するシステム。
【国際調査報告】
2021510960.tif 000010
2021510960.tif 000011
2021510960.tif 000012
2021510960.tif 000013